(57)【要約】【課題】  低コスト化を図ることができるホースリールを提供する。【解決手段】  ホースリール１のフレームを構成する本体ケース１１を、側面一体形状に形成する。本体ケース１１内に、ホース１４を巻き取る為のドラム１５を収容し、ドラム１５を本体ケース１１で周囲から包囲する。本体ケース１１の前面３１に、ホース１４が挿通する出入口３３を設け、出入口３３の幅寸法Ｈを、上方へ向かうに従って小さくなるように設定する。本体ケース１１の下部に脚部６７，６７を回動自在に支持する。【選択図】        図３
2006312560.tif 000002
【特許請求の範囲】
【請求項１】
ホースを巻き取るドラムがフレームに回動自在に支持されたホースリールにおいて、
前記フレームを、前記ドラムを周囲から包囲するケース状に形成する一方、
前記フレームに、起立状態を安定化する一対の脚部を支持し、両脚部が、前記フレームより側方に延出した展開状態と、前記フレームの下部に配置された収納状態とを選択的に形成可能に構成したことを特徴とするホースリール。
【発明の詳細な説明】
【技術分野】
【０００１】
本発明は、ホースを巻き取るホースリールに関する。
【背景技術】
【０００２】
従来、散水用のホースを巻き取る際には、ホースリールが用いられていた（例えば、特許文献１参照。）。
【０００３】
このホースリールは、フレームと、該フレームに回動自在に支持されたドラムとからなり、前記フレームは、中空のパイプ材によって形成されている。
【特許文献１】実開昭５９−１８７６７４号公報
【発明の開示】
【発明が解決しようとする課題】
【０００４】
しかしながら、このようなホースリールにあっては、フレームでドラムを支持する構造上、当該フレームを構成するパイプ材の剛性を高める必要がある。このため、金属製のパイプ材を用いるか、パイプ材を厚肉に形成しなければならず、低コスト化の阻害要因となっていた。
【０００５】
本発明は、このような従来の課題に鑑みてなされたものであり、低コスト化を図ることができるホースリールを提供することを目的とするものである。
【課題を解決するための手段】
【０００６】
前記課題を解決するために本発明のホースリールにあっては、ホースを巻き取るドラムがフレームに回動自在に支持されたホースリールにおいて、前記フレームを、前記ドラムを周囲から包囲するケース状に形成する一方、前記フレームに、起立状態を安定化する一対の脚部を支持し、両脚部が、前記フレームより側方に延出した展開状態と、前記フレームの下部に配置された収納状態とを選択的に形成可能に構成した。
【０００７】
すなわち、ドラムを支持するフレームは、ドラムを周囲から包囲するケース状に形成されており、当該フレーム自体が閉断面形状となる。これにより、ドラムの荷重はフレーム全体に分散されので、その剛性が高められる。
【０００８】
また、フレームに設けられた一対の脚部の先端をフレームの下部に配置した収納状態において、コンパクト化が図られる。また、両脚部の先端が、前記フレームより側方に延出した展開状態において、起立状態の安定化が図られる。
【０００９】
また、他の例としてのホースリールにおいては、ホースを巻き取るドラムがフレームに回動自在に支持されたホースリールにおいて、前記フレームを、前記ドラムを周囲から包囲するケース状に形成した。
【００１０】
すなわち、ドラムを支持するフレームは、ドラムを周囲から包囲するケース状に形成されており、当該フレーム自体が閉断面形状となる。これにより、ドラムの荷重はフレーム全体に分散されので、その剛性が高められる。
【００１１】
また、他の例としてのホースリールにおいては、前記フレームに前記ホースの出入口を設け、該出入口の幅寸法を上方へ向かうに従って小さくなるように設定した。
【００１２】
すなわち、ドラムを回動してホースを巻き取る際には、ホースがドラムの端部に集中することがある。しかし、ホースが挿通する出入口は、その幅寸法が上方へ向かうに従って小さくなるように設定されている。
【００１３】
このため、ドラムの端部に集中して巻き付けられたホースは、所定量積層された時点で、出入口の開口縁に沿って中心側へ案内される。
【００１４】
さらに、他の例としてのホースリールでは、前記フレームに前記ホースの出入口を設け、該出入口の開口縁部に、前記ホースに接して当該ホースの移動を促す方向に回転する回転部材を設けた。
【００１５】
すなわち、ドラムに巻き取られるホースは、出入口の開口縁部に設けられた回転部材に接する。このとき、この回転部材は、ホースに接して当該ホースの移動を促す方向に回転する。これにより、前記ホースは、前記回転部材によってドラムに案内される。
【００１６】
加えて、他の例としてのホースリールにおいては、前記フレームに、起立状態を安定化する一対の脚部を支持し、両脚部の先端が、前記フレームより側方に延出した展開状態と、前記フレームの下部に配置された収納状態とを選択的に形成可能に構成した。
【００１７】
すなわち、フレームに設けられた一対の脚部の先端をフレームの下部に配置した収納状態において、コンパクト化が図られる。また、両脚部の先端が、前記フレームより側方に延出した展開状態において、起立状態の安定化が図られる。
【００１８】
また、他の例としてのホースリールでは、前記収納状態にある前記両脚部が少なくとも部分的に重なる大きさに両脚部を設定した。
【００１９】
すなわち、フレームに設けられた一対の脚部は、両脚部の先端をフレームの下部に配置した収納状態において、少なくとも部分的に重なる大きさに設定されている。このため、両脚部の先端をフレームより側方へ延出した展開状態において、両脚部が重ならない大きさに形成された場合と比較して、起立状態の安定性が高められる。
【００２０】
さらに、他の例としてのホースリールにあっては、前記収納状態において前記両脚部が重なり合う重合部での厚み寸法を薄肉に形成した。
【００２１】
すなわち、収納状態において、前記両脚部が重なり合う重合部での厚み寸法が薄肉に形成されている。このため、この収納状態での両脚部の干渉による下方への突出量が抑えられる。
【００２２】
加えて、他の例としてのホースリールでは、前記フレームの底に開口部を設けた。
【００２３】
これにより、ホースに付着した水滴や泥などの汚れが、底の開口部よりフレーム外へ排出される。
【発明の効果】
【００２４】
以上説明したように、本発明のホースリールにあっては、フレームを、ドラムを周囲から包囲するケース状に形成することで、フレーム自体を閉断面形状とすることができる。これにより、当該フレームの剛性を高めることができる。
【００２５】
したがって、フレームを形成するパイプ材の剛性を高める為に、金属製のパイプ材を使用したり、パイプ材を厚肉に形成しなければならなかった従来と比較して、低コスト化を図ることができる。
【００２６】
また、両脚部の先端が前記フレームより側方に延出した展開状態を形成することによって、高さの高いフレームであっても、使用時における起立状態での安定化を図ることができる。
【００２７】
また、他の例としてのホースリールにあっては、フレームを、ドラムを周囲から包囲するケース状に形成することで、フレーム自体を閉断面形状とすることができる。これにより、当該フレームの剛性を高めることができる。
【００２８】
したがって、フレームを形成するパイプ材の剛性を高める為に、金属製のパイプ材を使用したり、パイプ材を厚肉に形成しなければならなかった従来と比較して、低コスト化を図ることができる。
【００２９】
また、他の例としてのホースリールにおいては、ホースがドラムの端部に集中して巻き付けられた場合であっても、所定量積層した時点で出入口の開口縁部に沿って中心側へ案内することができる。
【００３０】
このため、ホースがドラムの端部に集中して巻き取られるといった巻乱れを防止することができ、ホース巻取り状態での外観品質を高めることができるとともに、巻乱れによって生じ得る重心の偏りを防止することができる。
【００３１】
さらに、他の例としてのホースリールでは、ドラムに巻き取られるホースを、ホースに接して回転する回転部材でドラムに案内することができる。
【００３２】
したがって、ドラムに巻き取られるホースが案内されない場合と比較して、ホースの巻乱れを防止することができ、巻取り状態での外観品質の向上を図ることができるとともに、巻乱れによって生じ得る重心の偏りを防止することができる。
【００３３】
このとき、前記回転部材は、前記ホースの移動を促す方向に回転する。このため、この回転部材に接するホースとの摺接抵抗を押さえることができ、ホースの巻取りを容易とすることができる。
【００３４】
加えて、他の例としてのホースリールにあっては、フレームに設けられた一対の脚部の先端をフレームの下部に配置した収納状態において、コンパクト化を図ることができる。これにより、製品出荷時での運送コストを抑えることができる。
【００３５】
また、両脚部の先端が前記フレームより側方に延出した展開状態を形成することによって、高さの高いフレームであっても、使用時における起立状態での安定化を図ることができる。
【００３６】
また、他の例としてのホースリールでは、フレームに設けられた一対の脚部の先端をフレームの下部に配置した収納状態において、少なくとも部分的に重なる大きさに設定されている。このため、両脚部の先端をフレームより側方へ延出した展開状態において、両脚部が重ならない大きさに形成された場合と比較して、起立状態の安定性が高められる。
【００３７】
さらに、他の例としてのホースリールでは、収納状態において、両脚部が重なり合う重合部での厚み寸法が薄肉に形成されているため、この収納状態での両脚部の干渉による下方への突出量を抑えることができる。
【００３８】
加えて、他の例としてのホースリールにあっては、フレームの底に開口部を設けることによって、ホースに付着した水滴や泥などの汚れを、この開口部からフレーム外へ排出することができる。
【００３９】
よって、フレーム内に泥などが堆積したり、水が溜まることによって生じ得る不具合を未然に防止することができる。
【発明を実施するための最良の形態】
【００４０】
（第１の実施の形態）
【００４１】
以下、本発明の第１の実施の形態を図に従って説明する。図１は、本実施の形態にかかるホースリール１を示す図であり、該ホースリール１は、散水用のホースを巻き取る際に使用されるものである。
【００４２】
このホースリール１は、図１及び図２に示すように、フレームを構成する矩形ケース状の本体ケース１１を備えてなり、該本体ケース１１は、側面一体形状に形成されている。この本体ケース１１内には、図３に示すように、ホース１４を巻き取る為のドラム１５が収容されており、当該ドラム１５は、周囲から前記本体ケース１１に包囲されている。このドラム１５は、ホース挿通穴１６を貫通したホース１４が巻かれる円筒状の胴部１７と、該胴部１７の両端部に設けられた鍔部１８，１８とによって構成されている。
【００４３】
前記本体ケース１１の天面２１は、図１及び図４に示すように、矩形状に形成されており、平坦に形成されている。また、当該天面２１は、他のホースリールの本体ケース１１を積載できる広さに設定されており、積載部を構成している。
【００４４】
この天面２１には、コ字状に没入した凹部２２が形成されており、該凹部２２内には、コ字状の取っ手２３が配設されている。該取っ手２３は、自由端部を構成する握持部２４と、該握持部２４の両端から延出した延出部２５，２５とによってコ字状に形成されており、図５に示すように、両延出部２５，２５の先端に設けられた回動軸２６，２６を介して、前記本体ケース１１に回動自在に支持されている。これにより、前記取っ手２３を、前記凹部２２内に収容した傾倒状態２７と起立した起立状態２８との間で回動できるように構成されている。
【００４５】
この取っ手２３の前記延出部２５，２５は、前記起立状態２８において、前記凹部２２の上縁部が構成する当接部２９に当接して回動が規制されるように構成されており、該当接部２９は、前方側に傾斜した傾斜面によって構成されている。この起立状態２８において、前記取っ手２３が前記傾倒状態２７から９０度を超えた所定角α、具体的には１０９度傾斜した状態で回動規制されるように構成されている。これにより、傾倒状態２７の取っ手２３を起立状態２８へ移行する際には、前記取っ手２３の自由端部を構成する前記握持部２４が前記回動軸２６が構成する回動中心上部を通過した後、前記延出部２５，２５が前記当接部２９に当接した状態で前方側に傾斜して停止するように構成されている。
【００４６】
前記本体ケース１１の前面３１であって、前記ドラム１５に巻き取られるホース１４の移動経路上には、図６にも示すように、該ホース１４を案内するガイド部３２が設けられている。該ガイド部３２は、前記ホース１４が挿通する開口部としての出入口３３を備えてなり、該出入口３３の上部開口縁は、前記ホース１４の上方への逃げを阻止する上方規制部３４を構成している。該上方規制部３４は、巻き取られる前記ホース１４の移動方向Ｉと交差する方向に延在しており（図１参照）、当該上方規制部３４は、中央部が上方へ向けて突出したアーチ状に形成されている。これにより、前記出入口３３の幅寸法Ｈは、上方へ向かうに従って小さくなるように設定されている。
【００４７】
なお、前記上方規制部３４が出入口３３の上部開口縁によって形成された場合を例に挙げて説明したが、これに限定されるものでは無く、例えば長尺状の部材をアーチ状に湾曲したもので構成しても良い。
【００４８】
また、前記出入口３３の下部開口縁が開放されたものであっても良い。
【００４９】
この上方規制部３４には、図５に示したように、その全域に渡って庇部３５が形成されており、該庇部３５は、本体ケース１１の外側へ向けて突出している。当該上方規制部３４において、最も高い部位での高さ位置は、前記本体ケース１１に支持された前記ドラム１５の鍔部１８で最も高い部位より低くなるように設定されており、前記上方規制部３４で最も高い部位と前記鍔部１８で最も高い部位との間には、ホース巻取り時の余裕代Ｙが設定されている。
【００５０】
前記出入口３３の下部開口縁は、図６に示したように、直線状に形成されており、前記ホース１４の横方向への移動を自在とする下方規制部３６を構成している。これにより、前記出入口３３は、円弧部分が上方に位置した半円形状に形成されている。
【００５１】
前記出入口３３の開口縁部を構成する前記下方規制部３６は、図５に示したように、一般部３７より厚肉に形成されており、厚肉部３８を構成している。この厚肉部３８での断面形状は、前記出入口３３の中心へ向けて突出する円弧状に形成されており、当該出入口３３を移動するホース１４が線接触するように構成されている。
【００５２】
この本体ケース１１の左右側面４１，４２の中央部には、図１及び図６に示したように、側方に膨出した膨出部４５，４５が形成されており、両膨出部４５，４５間には、図３に示したように、前記ドラム１５の鍔部１８，１８から突出した胴部１７の端部が回動自在に支持され、当該ドラム１５が前記本体ケース１１に回動自在に支持されている。これら膨出部４５，４５の中央には、円形穴４６，４６が設けられており、左方に設けられた前記膨出部４５の円形穴４６には、前記ドラム１５を回動する為のクランク状のハンドル４７の軸４８が挿通している。
【００５３】
また、右方に設けられた前記膨出部４５の円形穴４６には、蛇口側のホースが接続される接続プラグ５１が挿通されており、該接続プラグ５１には、ドラム１５に巻かれたホース１４が接続されるパイプ部材５２の一端が接続されている。これにより、蛇口からの水道水を、前記接続プラグ５１を介して前記パイプ部材５２へ供給するとともに、該パイプ部材５２を介してドラム１５に巻かれた散水側のホース１４に供給できるように構成されている。
【００５４】
前記本体ケース１１の底面６１には、図７にも示すように、矩形状の底面開口部６２が開設されており、前記ドラム１５を収容した本体ケース１１の内部空間は、この底面開口部６２を介して外部に連通している。
【００５５】
また、前記底面６１には、横長の脚固定部材６５，６５が前面側及び後面側の各縁部に沿ってネジ止めされている。両脚固定部材６５，６５の両端部には、図８にも示すように、十字状の軸部６６，６６が互いに対向する方向へ突設されており、対向した軸部６６，６６には、同形状に形成された脚部６７，６７が回動自在に支持されている。
【００５６】
この脚部６７，６７の両端部には、前記軸部６６，６６に外嵌する円筒部７１，７１が基端部７２に形成されており、この円筒部７１には、先端へ向けて延出する上面部７３が一体形成されている。前記両脚部６７，６７は、前記円筒部７１，７１を中心に回動することによって、図９に示すように、両脚部６７，６７の先端が前記本体ケース１１の下部に配置され両脚部６７，６７が前記底面開口部６２の下部に配置された収納状態７４と、図１に示したように、両脚部６７，６７の先端が本体ケース１１より側方へ延出し、かつ前記本体ケース１１の底面６１に当接して（図８参照）回動が規制された展開状態７５とを任意に形成できるように構成されている。
【００５７】
ここで、前記脚部６７，６７を回動して前記収納状態７４と前記展開状態７５とを形成構造を例に挙げて説明したが、これに限定されるものでは無く、例えば延出方向にスライドしたり、水平方向に回転する構造であっても良い。
【００５８】
これにより、前記展開状態７５において、本体ケース１１の起立状態の安定化を図れるように構成されており、前記収納状態７４にあっては、底面６１に開設された前記底面開口部６２を前記脚部６７，６７によって閉鎖できるように構成されている。
【００５９】
前記上面部７３は、一方の脚部６７を他方の脚部６７に先行して折り畳んで図９に示した収納状態７４を形成した際に、両脚部６７，６７の基端部７２，７２より先端側が重なる長さに形成されており、その裏面には、複数のリブ８１，・・・と、その両側縁から延出したフランジ８２，８２とが一体形成されている。このフランジ８２，８２及び前記リブ８１，・・・の高さ寸法は、図８にも示したように、基端部７２から先端へ向かうに従って低くなるように設定されており、各脚部６７の厚み寸法Ｔは、前記本体ケース１１に軸支された基端部７２から先端へ向かうに従って薄肉になるように設定されている。
【００６０】
さらに、両脚部６７，６７は、図９に示したように、前記収納状態７４にて重なり合う全域での厚み寸法Ｔの和が、両脚部６７，６７で最も厚い基端部７２での厚み寸法以下となるように、前記重合部８３での厚み寸法Ｔが薄肉となるように設定されており、前記収納状態７４において、両脚部６７，６７が、前記脚部固定部材６５の下面より上方に配置されるように構成されている。
【００６１】
そして、図５に示したように、前記本体ケース１１の内側面９１には、二本のリブ９２，９２が底面６１から上部開口部へ向けて延設されており、前記本体ケース１１の上部容器１３の内側面９３にも、二本のリブ９４，９４が天面２１から下部開口部へ向けて延設されている。
【００６２】
各リブ９２，９２，９４，９４の高さ寸法Ｈは、図３に示したように、各内側面９１，９３から前記ドラム１５の鍔部１８までの離間距離Ｒ以上に設定されており、図５に示したように、各リブ９２，９２，９４，９４の長さ寸法は、その先端が前記鍔部１８に近接する長さに設定されている。
【００６３】
以上の構成にかかる本実施の形態において、ドラム１５を支持するフレームである本体ケース１１は、ドラム１５を周囲から包囲するケース状に形成されており、当該本体ケース１１自体が閉断面形状となる。これにより、ドラム１５の荷重は本体ケース１１全体に分散されので、その剛性を高めることができる。
【００６４】
したがって、フレームを形成するパイプ材の剛性を高める為に、金属製のパイプ材を使用したり、パイプ材を厚肉に形成しなければならなかった従来と比較して、低コスト化を図ることができる。
【００６５】
また、前記本体ケース１１の出入口３３の幅寸法Ｈは、上方へ向かうに従って小さくなるように設定されている。このため、ハンドル４７でドラム１５を回動してホース１４を巻き取る際に、ホース１４がドラム１５の端部、すなわち一方の鍔部１８側に集中し、ホース１４が所定の高さに達した際に、該ホース１４を出入口３３の開口縁部に設定されたアーチ状の上方規制部３４に沿って中心側へ案内することができる。
【００６６】
したがって、ホース１４がドラム１５の端部に集中して巻き取られるといった巻乱れを防止することができ、ホース巻取り状態での外観品質を高めることができるとともに、重心の偏りを防止することができる。
【００６７】
一方、ホース１４が巻かれていない空のドラム１５へのホース１４の巻付けを開始した時点において、このホース１４を、前記ガイド部３２における出入口３３の下部開口縁が構成する下方規制部３６に沿って案内することができる。
【００６８】
このとき、この下方規制部３６は、直線状に形成されており、当該下方規制部３６に摺接して案内されるホース１４の横方向への移動を自在とし、当該ホース１４をドラム１５の全域に渡って分散して巻き取ることができる。これにより、巻取り開始時の巻乱れを防止することができる。
【００６９】
また、この下方規制部３６は、一般部３７より厚肉の厚肉部３８が設定されている。このため、開口縁部が薄肉に形成された場合と比較して、不用意なホース１４の折れ曲がりを防止することができ、巻き易さの向上を図ることができる。
【００７０】
さらに、前記下方規制部３６の前記厚肉部３８は、その断面形状が出入口３３の中心へ向けて突出する円弧状に形成されている。このため、摺接するホース１４との接触面積を減少することができ、巻取り時に生じる摩擦抵抗を押さえることができる。よって、ホース１４の巻取りを容易とすることができる。
【００７１】
そして、前記本体ケース１１に設けられた一対の脚部６７，６７は、両脚部６７，６７の先端を本体ケース１１の下部に配置した収納状態７４において、部分的に重なる大きさに設定されている。このため、両脚部６７，６７の先端を本体ケース１１より側方へ延出した展開状態７５において、両脚部６７，６７が重ならない大きさに形成された場合と比較して、起立状態の安定性を高めることができる。
【００７２】
また、前記収納状態７４において、前記両脚部６７，６７が重なり合う重合部８３での厚み寸法Ｔが薄肉に形成されている。このため、この収納状態７４での両脚部６７，６７の干渉による下方への突出量を抑えることができる。
【００７３】
加えて、前記脚部６７，６７を収納状態７４とすることで、コンパクト化を図ることができる。これにより、製品出荷時での運送コストを抑えることができる。
【００７４】
また、両脚部６７，６７を展開状態７５とすることで、高さの高い本体ケース１１であっても、使用時における起立状態での安定化を図ることができる。
【００７５】
さらに、前記本体ケース１１の底面６１には、底部開口部６２が設けられている。このため、ドラム１５に巻き取られるホース１４に付着した水滴や泥などの汚れを、この底部開口部６２から本体ケース１１外へ排出することができる。
【００７６】
よって、本体ケース１１内に泥などが堆積したり、水が溜まることによって生じ得る不具合を未然に防止することができる。
【００７７】
（第２の実施の形態）
【００７８】
図１０は、第２の実施の形態を示す図であり、前述した実施の形態と同一又は同等の部分については、同符号を付して説明を割愛する。
【００７９】
すなわち、直線状に形成された出入口３３の下部開口縁には、円柱状の回転部材としてのコロ１０１が設けられている。このコロ１０１は、両端から延出した軸部１０２が、庇部３５の両下端に挿入された状態で回動自在に支持されており、出入口３３を挿通して移動するホース１４に接した際に、当該ホース１４の移動を促す方向に回転するように構成されている。
【００８０】
これにより、ドラム１５に巻き取られるホース１４は、ホース１４の移動経路上に設けられたコロ１０１に接する。このとき、このコロ１０１は、ホース１４に接して当該ホース１４の移動を促す方向に回転する。これにより、前記ホース１４を、前記コロ１０１によってドラム１５に案内することができる。
【００８１】
したがって、ドラム１５に巻き取られるホース１４が案内されない場合と比較して、ホース１４の巻乱れを防止することができ、巻取り状態での外観品質の向上を図ることができるとともに、巻乱れによって生じ得る重心の偏りを防止することができる。
【００８２】
このとき、前記コロ１０１は、前記ホース１４の移動を促す方向に回転する。このため、このコロ１０１に接するホース１４との摺接抵抗を押さえることができ、ホース１４の巻取りを容易とすることができる。
【００８３】
なお、本実施の形態では、出入口３３の下部開口縁に、コロ１０１を設けた場合を例に挙げて説明したが、これに限定されるものでは無く、ローラ等の他の回転部材を設けても、前述と同様の効果を得ることができる。また、前記コロ１０１は、前記出入口３３の開口縁部の上部等のどの位置に設けても良い。
【００８４】
そして、これらの実施の形態では、前記本体ケース１１が側面一体形状のものを例に挙げて説明したが、これに限定されるものでは無い。
【００８５】
（第３の実施の形態）
【００８６】
すなわち、本体ケース１１を、図１１に示すように、左側部を構成する容器状の左側部構成部材２０１と、前記出入口３３が設けられた中央部を形成する中央部構成部材２０２と、右側部を構成する容器状の右側部構成部材２０３とで構成しても良い。
【００８７】
（第４の実施の形態）
【００８８】
さらに、図１２の（ａ）に示すように、出入口３３の中心を境として左側部を構成する容器状の左側部構成部材２１１と、右側部を構成する容器状の右側部構成部材２１２とで構成しても良い。
【００８９】
（第５の実施の形態）
【００９０】
さらに、図１２の（ｂ）に示すように、上下に開口部２２１，２２２が設けられ、上下に開放されたケース状に形成しても良い。
【００９１】
（第６の実施の形態）
【００９２】
さらに、図１２の（ｃ）に示すように、後部側に斜め上方に開口する開口部２３１を有したケース状に形成しても良い。
【図面の簡単な説明】
【００９３】
【図１】本発明の第１の実施の形態を示す斜視図である。
【図２】同実施の形態の側面図である。
【図３】図２のＡ−Ａ線に沿った断面図である。
【図４】同実施の形態の平面図である。
【図５】図４のＢ−Ｂ線に沿った断面図である。
【図６】同実施の形態の正面図である。
【図７】同実施の形態の底面図である。
【図８】図４のＣ−Ｃ断面に相当する図である。
【図９】同実施の形態の収納状態を示す要部の断面図である。
【図１０】本発明の第２の実施の形態を示す斜視図である。
【図１１】本発明の第３の実施の形態を示す斜視図である。
【図１２】本発明の他の実施の形態を示す斜視図であり、（ａ）は第４の実施の形態、（ｂ）は第５の実施の形態、（ｃ）は第６の実施の形態である。
【符号の説明】
【００９４】
１    ホースリール
１１    本体ケース
１４    ホース
１５    ドラム
３３    出入口
６１    底面
６２    底部開口部
６７    脚部
７４    収納状態
７５    展開状態
８３    重合部
１０１    コロ（回転部材）
Ｈ    幅寸法
Ｉ    移動方向
Ｔ    厚み寸法
【図１】
2006312560.tif 000003
【図２】
2006312560.tif 000004
【図３】
2006312560.tif 000005
【図４】
2006312560.tif 000006
【図５】
2006312560.tif 000007
【図６】
2006312560.tif 000008
【図７】
2006312560.tif 000009
【図８】
2006312560.tif 000010
【図９】
2006312560.tif 000011
【図１０】
2006312560.tif 000012
【図１１】
2006312560.tif 000013
【図１２】
2006312560.tif 000014